(57)【要約】【課題】  観察法に応じたフィルタ交換を簡単に行なうことができる顕微鏡を提供する。【解決手段】    光源７からの照明光を標本１９に導く落射投光管２からの照明光を対物レンズ１７を介して標本１９に集光させるようにした顕微鏡であって、落射投光管２のレンズ１０，１１と光源７との間の光路に赤外カットフィルタ２４、落射投光管２の１０，１１と対物レンズ１７との間の光路に近赤外域バンドパスフィルタ１４１をそれぞれ挿脱可能に設け、これら赤外カットフィルタ２４と近赤外域バンドパスフィルタ１４１を選択的に光路に挿脱させる。【選択図】      図１
2005300833.tif 000002
【特許請求の範囲】
【請求項１】
光源と、
前記光源からの照明光を標本に導く照明光学系を有する投光管と、
前記投光管で導かれた照明光を前記標本に集光させる対物レンズと、
前記投光管の照明光学系と前記光源との間の光路に挿脱可能に設けられた特定の波長光をカットする第１の光学素子と、
前記投光管の照明光学系と前記対物レンズとの間の光路に挿脱可能に設けられた特定の波長域の光を取り出す第２の光学素子と、
前記第１の光学素子または前記第２の光学素子を選択的に前記光路に挿脱させる光学素子選択手段と
を具備したことを特徴とする顕微鏡。
【請求項２】
光学素子選択手段は、前記第１の光学素子が前記光路上に挿入時に前記第２の光学素子を前記光路上から退避させ、前記第２の光学素子が前記光路上に挿入時に前記第１の光学素子を前記光路上から退避させる連動機構手段を有することを特徴とする請求項１記載の顕微鏡。
【請求項３】
連動機構手段は、
少なくとも前記第２の光学素子を保持するキューブユニットを着脱可能に設けた回転ターレットと、
前記第１の光学素子を回転可能に保持する回転部材と、
前記回転ターレットの回転を前記回転部材に伝達する回転伝達手段と  を具備し、
前記回転ターレットの回転により前記第１の光学素子および第２の光学素子の前記光路への挿脱を可能にしたことを特徴とする請求項２記載の顕微鏡。
【請求項４】
回転伝達手段は、
前記回転ターレットとともに回転する第１のプーリと、前記回転部材とともに回転する第２のプーリと、前記第１および第２のプーリの間に架けられるベルトからなることを特徴とする請求項３記載の顕微鏡。
【請求項５】
前記第１および第２のプーリは、歯車部を有し、前記ベルトは、前記第１および第２のプーリのそれぞれの歯車部に噛合うように架けられたことを特徴とする請求項４記載の顕微鏡。
【請求項６】
前記回転ターレットは、前記第２の光学素子と異なる特性を有する光学素子を保持するキューブユニットを同心円上に複数配置したことを特徴とする請求項３記載の顕微鏡。
【請求項７】
連動機構手段は、
前記投光管内部の照明光学系の光軸方向に沿って配置され、且つ中心部を回転可能に支持された操作アームと、
前記操作アームの両端に設けられ、該操作アームの回転により前記照明光学系の光軸と直交する方向に移動される前記第１の光学素子を保持する第１の移動手段と前記第２の光学素子を保持する第２の移動手段を有することを特徴とする請求項２記載の顕微鏡。
【請求項８】
前記第１の移動手段は、第１の光学素子を保持する第１のスライダ枠で、前記第２の移動手段は、第２の光学素子を保持する第２のスライダ枠からなり、前記第１のスライダ枠の移動により前記第１の光学素子が前記光路上に挿入時に前記第２の光学素子を前記光路上から退避させ、前記第１のスライダ枠の移動により前記第２の光学素子が前記光路上に挿入時に前記第１の光学素子を前記光路上から退避させることを特徴とする請求項７記載の顕微鏡。
【請求項９】
前記第１の光学素子は、赤外カットフィルタで、前記第２の光学素子は、近赤外域バンドパスフィルタからなることを特徴とする請求項１乃至８のいずれかに記載の顕微鏡。
【発明の詳細な説明】
【技術分野】
【０００１】
本発明は、例えば、可視から近赤外までの観察を可能にした顕微鏡に関するものである。
【背景技術】
【０００２】
従来、目視観察や写真またはテレビ（ＴＶ）観察を可能にした顕微鏡では、それぞれの観察に合った最適な条件が得られるように観察光路の切換えを可能にしたものがある。このような顕微鏡では、光路切換え時にそれぞれの観察や撮影に合った明るさや色を得られるように、各種のフィルタを用意し、これらフィルタを光路切換えの度に交換して対応するようにしている。また、最近は、通常の可視観察に止まらず、紫外域や赤外域の不可視域までをＴＶ観察できるようにした顕微鏡もある。
【０００３】
不可視域でのＴＶ観察を可能にした顕微鏡では、例えば、共通の光源を用いるような場合、目視観察のための光路と不可視域の観察のための光路で、それぞれ最適な照明を得るため、これら光路の切換えの度にフィルタの挿脱を行なう必要がある。
【０００４】
例えば、近赤外域の観察の場合、観察画像を鮮明にするため、近赤外域バンドパスフィルタを必要に応じて照明光路に挿入し、同時に、光源からの近赤外域の波長を多く使用するため、通常可視光観察時に使用する赤外カットフィルタを照明光路から取り除いている。しかし、可視観察に切換えると、今度は、近赤外域バンドパスフィルタは必要でなく、赤外カットフィルタを必要とするため、再び、これら近赤外域バンドパスフィルタと赤外カットフィルタを照明光路に対して出し入れするようにしている。
【０００５】
そこで、従来、これらのフィルタの光路への出し入れの際の誤動作をなくすため、特許文献１に開示される顕微鏡が考えられている。この特許文献１には、鏡筒の観察光路を切換えるプリズムなどの光路切換え部材と各観察光路に最適なフィルタを切換える光学素子切換え部材を連結し、プリズムによる光路切換えに連動させて観察光路に最適なフィルタを光路上に切換えるようにした顕微鏡が開示されている。つまり、観察光路切換え部材とフィルタを切換える光学素子切換え部材を連結させることにより、鏡筒の目視観察光路への切換え時には、赤外カットフィルタを照明光路に挿入し、近赤外域の波長を用いたＴＶ観察時には、赤外カットフィルタに代えて近赤外域バンドパスフィルタを照明光路に挿入するなどの切換えを連動して行なうようにしている。
【特許文献１】特開２００２-２１４５３２号公報
【発明の開示】
【発明が解決しようとする課題】
【０００６】
ところが、特許文献１のものでは、赤外カットフィルタと近赤外域バンドパスフィルタを並べて設けられる関係で、可視光観察時に用いられる赤外カットフィルタが投光管内のレンズと対物レンズの間に配置されるため、可視光観察時に投光管内のレンズに赤外光が照射され続け、赤外光の熱によりレンズは劣化し寿命を縮めてしまうという問題を生じる。
【０００７】
また、近赤外域バンドパスフィルタは、一枚のみ用いられているので、赤外光の異なる波長域に対して近赤外域バンドパスフィルタを切換えながら観察を行なうようなことができない。つまり、赤外光は、使用する波長域によって標本の透過できる範囲が変化し、また、赤外光による標本の熱の影響も変化する。しかし、特許文献１では、近赤外域バンドパスフィルタが一枚のみのため、異なる波長域に対応させることは難しく、適用できる観察範囲が限定されてしまう。また、赤外カットフィルタを光源から離すことで熱による劣化を防ぐこともできる。
【０００８】
本発明は上記事情に鑑みてなされたもので、観察法に応じたフィルタ交換を簡単に、効果的に行なうことができる顕微鏡を提供することを目的とする。
【課題を解決するための手段】
【０００９】
請求項１記載の発明は、光源と、前記光源からの照明光を標本に導く照明光学系を有する投光管と、前記投光管で導かれた照明光を前記標本に集光させる対物レンズと、前記投光管の照明光学系と前記光源との間の光路に挿脱可能に設けられた特定の波長光をカットする第１の光学素子と、前記投光管の照明光学系と前記対物レンズとの間の光路に挿脱可能に設けられた特定の波長域の光を取り出す第２の光学素子と、前記第１の光学素子または前記第２の光学素子を選択的に前記光路に挿脱させる光学素子選択手段とを具備したことを特徴としている。
【００１０】
請求項２記載の発明は、請求項１記載の発明において、光学素子選択手段は、前記第１の光学素子が前記光路上に挿入時に前記第２の光学素子を前記光路上から退避させ、前記第２の光学素子が前記光路上に挿入時に前記第１の光学素子を前記光路上から退避させる連動機構手段を有することを特徴としている。
【００１１】
請求項３記載の発明は、請求項２記載の発明において、連動機構手段は、少なくとも前記第２の光学素子を保持するキューブユニットを着脱可能に設けた回転ターレットと、
前記第１の光学素子を回転可能に保持する回転部材と、前記回転ターレットの回転を前記回転部材に伝達する回転伝達手段と  を具備し、前記回転ターレットの回転により前記第１の光学素子および第２の光学素子の前記光路への挿脱を可能にしたことを特徴としている。
【００１２】
請求項４記載の発明は、請求項３記載の発明において、回転伝達手段は、前記回転ターレットとともに回転する第１のプーリと、前記回転部材とともに回転する第２のプーリと、前記第１および第２のプーリの間に架けられるベルトからなることを特徴としている。
【００１３】
請求項５記載の発明は、請求項４記載の発明において、前記第１および第２のプーリは、歯車部を有し、前記ベルトは、前記第１および第２のプーリのそれぞれの歯車部に噛合うように架けられたことを特徴としている。
【００１４】
請求項６記載の発明は、請求項３記載の発明において、前記回転ターレットは、前記第２の光学素子と異なる特性を有する光学素子を保持するキューブユニットを同心円上に複数配置したことを特徴としている。
【００１５】
請求項７記載の発明は、請求項２記載の発明において、連動機構手段は、前記投光管内部の照明光学系の光軸方向に沿って配置され、且つ中心部を回転可能に支持された操作アームと、前記操作アームの両端に設けられ、該操作アームの回転により前記照明光学系の光軸と直交する方向に移動される前記第１の光学素子を保持する第１の移動手段と前記第２の光学素子を保持する第２の移動手段を有することを特徴としている。
【００１６】
請求項８記載の発明は、請求項７記載の発明において、前記第１の移動手段は、第１の光学素子を保持する第１のスライダ枠で、前記第２の移動手段は、第２の光学素子を保持する第２のスライダ枠からなり、前記第１のスライダ枠の移動により前記第１の光学素子が前記光路上に挿入時に前記第２の光学素子を前記光路上から退避させ、前記第１のスライダ枠の移動により前記第２の光学素子が前記光路上に挿入時に前記第１の光学素子を前記光路上から退避させることを特徴としている。
【００１７】
請求項９記載の発明は、請求項１乃至８のいずれかに記載の発明において、前記第１の光学素子は、赤外カットフィルタで、前記第２の光学素子は、近赤外域バンドパスフィルタからなることを特徴としている。
【発明の効果】
【００１８】
本発明によれば、観察法に応じたフィルタ交換を簡単に、効果的に行なうことができる。
【発明を実施するための最良の形態】
【００１９】
以下、本発明の実施の形態を図面に従い説明する。
【００２０】
（第１の実施の形態）
図１は、本発明の第１の実施の形態にかかる顕微鏡の概略構成を示している。
【００２１】
図において、１は顕微鏡本体で、この顕微鏡本体１は、水平方向のベース部１ａと、このベース部１ａに対し直立して形成された胴部１ｂを有し、この胴部１ｂの上部には、ベース部１ａと平行な方向に投光管として落射投光管２が配置されている。この落射投光管２先端には、観察鏡筒３が取り付けられている。この観察鏡筒３には、接眼レンズ４およびＴＶカメラ５が設けられている。
【００２２】
落射投光管２には、ランプハウス６が着脱可能に設けられている。このランプハウス６には、落射照明用の光源７が設けられている。光源７からの照明光路の光軸８上には、コレクタレンズ９が配置されている。
【００２３】
落射投光管２内部には、光軸８上に沿って、照明光学系を構成するレンズ１０、１１および回転ターレットとしてキューブターレット１２が配置されている。このキューブターレット１２は、図３に示すように６種類のキューブユニットを同心円上に保持可能にしたもので、ベアリングを有する回転機構１３を介して落射投光管２内部に回転可能に支持されている。また、キューブターレット１２には、プーリ１２ａが設けられている。このプーリ１２ａは、周面に沿って歯車部（不図示）が形成されている。
【００２４】
キューブターレット１２には、近赤外域観察用のキューブユニット１４と可視光観察用のキューブユニット１５の２種類が装着されている。図示例では、キューブユニット１４が光軸８上に位置決めされている。
【００２５】
キューブユニット１４は、図２に示すように光源７の照明光から特定の波長域の近赤外光を取り出す光学素子としての近赤外域バンドパスフィルタ１４１と、この近赤外域バンドパスフィルタ１４１を透過した光を反射し、後述する標本１９からの反射光を透過するようなハーフミラー１４２を有している。また、キューブユニット１５は、光源７の照明光が通過する空穴（不図示）と、この空穴を通過した光を反射し、後述する標本１９からの反射光を透過するようなハーフミラー１５２を有している（図３参照）。
【００２６】
キューブユニット１４のハーフミラー１４２（光軸８上に位置決めされている）の反射光路には、対物レンズ１７が配置されている。対物レンズ１７は、落射投光管２の先端に設けられたレボルバ１８に保持されている。
【００２７】
対物レンズ１７の先端側には、ステージ２０に載置された標本１９が配置され、ハーフミラー１４２で反射した光を対物レンズ１７を介して標本１９に照射するようにしている。
【００２８】
ステージ２０は、焦準ハンドル２１の操作により顕微鏡本体１の胴部１ｂに沿って上下動し、標本１９のピント合わせができるようになっている。
【００２９】
ハーフミラー１４２の透過光路（観察光路）の光軸１６上には、結像レンズ２２が配置され、標本１９面からの反射光を標本像として接眼レンズ４またはＴＶカメラ５の撮像面に結像させるようにしている。
【００３０】
落射投光管２内部には、レンズ１０より光源７側の光路上に、フィルタ切換え部２３が配置されている。このフィルタ切換え部２３は、回転部材として円板状の回転基板２３１を有し、この回転基板２３１上に特定の波長光をカットする光学素子として赤外カットフィルタ２４が設けられている。回転基板２３１は、ベアリングを有する回転機構２５を介して落射投光管２に回転可能に支持されている。また、回転基板２３１には、プーリ２６が設けられている。このプーリ２６は、周面に沿って歯車部（不図示）が形成されている。
【００３１】
プーリ２６には、歯車部に噛合うように歯付きのベルト２７が架けられている。このベルト２７は、上述したキューブターレット１２のプーリ１２ａの歯車部にも噛合うように架けられており、キューブターレット１２とフィルタ切換え部２３を所定の位置関係で回転可能に連結し、連動機構手段を構成している。
【００３２】
この場合、図３（ａ）に示すようにキューブユニット１４の近赤外域バンドパスフィルタ１４１が照明光路の光軸８上に位置する場合は、フィルタ切換え部２３の赤外カットフィルタ２４は、光軸８上から外れ、また、同図（ｂ）に示すようにキューブユニット１５が照明光路の光軸８上に位置する場合は、フィルタ切換え部２３の赤外カットフィルタ２４が光軸８上に位置するようになっている。
【００３３】
落射投光管２は、図４に示すようにキューブターレット１２に対応する部分に、カバー２ａが設けられている。このカバー２ａは、取り外しが可能になっていて、外部からキューブユニット１４、１５の交換などができるようになっている。
【００３４】
このような構成において、まず、近赤外光観察の場合を説明する。
【００３５】
この場合、キューブターレット１２を回転操作して近赤外域観察用のキューブユニット１４を光軸８上に位置させる。また、キューブターレット１２の回転操作により、ベルト２７を介してフィルタ切換え部２３も回転するが、キューブユニット１４が光軸８上に位置することで、図３（ａ）に示すように赤外カットフィルタ２４は、光軸８上から外れて位置される。
【００３６】
この状態から、光源７から照射光が発生すると、照明光は、コレクタレンズ９で集光され、落射投光管２内のレンズ１０、１１を通り、キューブユニット１４の近赤外域バンドパスフィルタ１４１に入射し、特定の波長の近赤外光が取り出される。そして、ハーフミラー１４２で反射し、対物レンズ１７を透過して標本１９に集光される。
【００３７】
標本１９からの反射光は、対物レンズ１７を透過して平行光となりハーフミラー１４２を透過し、結像レンズ２２に入射する。この場合、観察鏡筒３内の観察光路は、ＴＶカメラ５側に切換えられており、結像レンズ２２を透過した標本１９からの反射光は、標本像としてＴＶカメラ５の撮像面に結像され、図示しないモニタ等にて近赤外光観察を行うことができる。
【００３８】
次に、可視光観察を行う場合を説明する。
【００３９】
この場合、キューブターレット１２を回転操作して、今度は可視光観察用のキューブユニット１５を光軸８上に位置させる。また、キューブターレット１２の回転操作により、ベルト２７を介してフィルタ切換え部２３も回転するが、キューブユニット１５が光軸８上に位置することで、図３（ｂ）に示すように赤外カットフィルタ２４は、光軸８上に位置される。
【００４０】
この状態から、光源７から照射光が発生すると、照明光は、コレクタレンズ９を介して赤外カットフィルタ２４に入射し、近赤外域の光が取り除かれ可視光のみが取り出される。この可視光は、落射投光管２内のレンズ１０、１１を通り、キューブユニット１５の空穴を通って、ハーフミラー１５２で反射し、対物レンズ１７を透過して標本１９に集光される。
【００４１】
標本１９からの反射光は、対物レンズ１７を透過して平行光となりハーフミラー１５２を透過し、結像レンズ２２に入射する。この場合、観察鏡筒３内の観察光路は、接眼レンズ４側に切換えられており、結像レンズ２２を透過した標本１９からの反射光は、標本像として接眼レンズ４に入射し、目視観察を行なうことができる。
【００４２】
従って、このようにすれば、近赤外域観察と可視光観察の切換えのため、キューブターレット１２を回転操作し、近赤外域観察に必要な近赤外域バンドパスフィルタ１４１を有するキューブユニット１４を光軸８上に位置させると、自動的に近赤外域観察に必要のない赤外カットフィルタ２４が光軸８から外れ、逆に、可視光観察に必要のない近赤外域バンドパスフィルタ１４１を光軸８から外し、キューブユニット１５を光軸８上に位置させると、自動的に可視光観察に必要な赤外カットフィルタ２４が光軸８上に位置させるようにできるので、これら近赤外域観察と可視光観察の切換えにともなう、近赤外域バンドパスフィルタ１４１と赤外カットフィルタ２４切換えを素早く、しかも正確に行なうことができるなど、観察法に応じたフィルタ交換を簡単に、効果的に行なうことができる。
【００４３】
また、近赤外域の光により落射投光管２内の赤外カットフィルタ２４が熱を持つことがあっても、このような状態の赤外カットフィルタ２４を簡単に光路から外すことができる。  さらに、通常の可視光観察時には、赤外カットフィルタ２４は、光源７と落射投光管２のレンズ１０、１１との間に配置されるので、落射投光管２内のレンズ１０、１１が赤外光の熱により劣化するようなことを防止でき、レンズの耐久性の向上を図ることができる。
【００４４】
（第１の実施の形態の変形例）
第１の実施の形態では、キューブターレット１２に、１枚の近赤外域バンドパスフィルタ１４１を有するキューブユニット１４を保持したものを示したが、例えば、異なる波長特性のフィルタを有する複数のキューブユニットを同心円上にキューブターレット１２に配置することもできる。このようにすれば、異なる波長域の赤外光を標本に照射し、標本の透過できる範囲を変化さながら多彩な近赤外域観察を行なうことができる。
【００４５】
この場合、キューブターレット１２とフィルタ切換え部２３の回転半径の関係を変えることで、近赤外域観察と可視光観察の切換えにともなう、フィルタ切換えをさらに正確に行なうことができる。例えば、近赤外光観察で使用する他のキューブユニットが光軸上にあるとき、赤外カットフィルタ２４の枠部分が光路を遮ってしまうおそれがある場合は、キューブターレット１２とフィルタ切換え部２３の回転半径の関係を１:１とすればよい。また、キューブターレット１２に設けられるキューブユニットの個数を最大４個または２個とすれば、これらキューブユニットに対して赤外カットフィルタ２４を垂直または平行の方向にして配置できるので、赤外カットフィルタ２４の枠部分による光路の遮断などを解消できる。さらに、赤外カットフィルタ２４を両面で赤外カット可能にすることにより、キューブターレット１２に配置できるキューブユニットとして、例えば明・暗視野観察のキューブを追加することが可能である。
【００４６】
さらに、赤外偏光観察を行なう場合は、図５に示すようなキューブユニット２８を用いればよい。この場合、キューブユニット２８は、図２に示す近赤外域観察用のキューブユニット１４と同一部分に、同符号を付したもので、近赤外域バンドパスフィルタ１４１の背部にポラライザ２８１を追加している。この場合、不図示のアナライザは、キューブユニット２８上方の観察光路に設けられるアナライザスライダスロット（不図示）に設けられており、赤外偏光観察を可能にしている。
【００４７】
(第２の実施の形態)
次に、本発明の第２の実施の形態について説明する。
【００４８】
図６は、本発明が適用される顕微鏡の概略構成を示すもので、図１と同一部分には、同符号を付している。
【００４９】
この場合、落射投光管２内部のレンズ１０、１１が配置される光軸８上に、キューブターレット１２に代えてハーフミラー３１が配置されている。このハーフミラー３１は、光源７からの照明光を反射し、標本１９からの反射光を透過するような特性を有している。
【００５０】
また、落射投光管２内部には、光軸８方向に沿って操作アーム３２が配置されている。この操作アーム３２は、中心部を回転軸３３にベアリング３４を介して回転自在に支持されている。回転軸３３は、落射投光管２の底部に直立して設けられている。
【００５１】
操作アーム３２の両端には、ピン３４ａ、３４ｂが設けられている。また、これらピン３４ａ、３４ｂに対応する落射投光管２の底部には、ガイド溝３５ａ、３５ｂが設けられている。ここで、図７は、赤外線カットフィルタが光路上に挿入された状態を示しており、図８は、バンドパスフィルタが光路上に挿入された状態を示している。また、図７（ａ）、図８（ａ）は、上方から見た際の平面図、図７（ｂ）、図８（ｂ）は、図７（ａ）、図８（ａ）中矢印方向を見た際の部分断面図である。これらガイド溝３５ａ、３５ｂには、ピン３４ａ、３４ｂが各別に挿入され、操作アーム３２の回転動作をガイドするようにしている。
【００５２】
操作アーム３２の両端には、移動手段としてフィルタ枠３６，３７が設けられている。この場合、図７（ｂ）に示すように、フィルタ枠３６には、赤外カットフィルタ３６ａが設けられ、フィルタ枠３７には、近赤外域バンドパスフィルタ３７ａが設けられており、操作アーム３２の回転軸３３を中心とした回転によりフィルタ枠３６と３７が選択的に落射投光管２に押し込まれ、赤外カットフィルタ３６ａ、近赤外域バンドパスフィルタ３７ａを光軸８上に位置させるようになっている。
【００５３】
図９は、フィルタを保持する機構のみ（フィルタを除いた状態）を図７（ａ）（または図８（ａ））中矢印方向を見た際の部分断面図であり、操作アーム上部にフィルタが保持されるように構成されている。
【００５４】
落射投光管２内部の光軸８と直交する方向にスライダ枠３８が設けられている。このスライダ枠３８は、フィルタ枠３６（３７）をスライド可能に保持するもので、図９に示すように、ガイド部３８ａを有するとともに、フィルタ枠３６（３７）を位置決めするためのクリック部３８ｂを有している。このクリック部３８ｂは、フィルタ枠３６（３７）に対向させてバネとボールからなる位置決め手段が設けられ、フィルタ枠３６（３７）側に所定の間隔で形成された切り欠き部３６ｂ（３７ｂ）にボールが呼び込まれることで、それぞれの状態の位置決めを行なうようになっている。なお、３８ｃは、ピン３４ａ（３４ｂ）の移動時のスペースを確保するための逃げである。
【００５５】
このような構成において、まず、通常の可視光観察の場合を説明する。
【００５６】
この場合、操作アーム３２を回転操作し、図７に示すようにフィルタ枠３６を落射投光管２内部に押し込み、赤外カットフィルタ３６ａを光軸８上に位置させる。このとき、フィルタ枠３７は、落射投光管２の外に押し出されるので、近赤外域バンドパスフィルタ３７ａは、光軸８上から退避している。
【００５７】
この状態から、光源７から照射光が発生すると、照明光は、コレクタレンズ９を介してフィルタ枠３６の赤外カットフィルタ３６ａに入射し、近赤外域の光が取り除かれ可視光のみが取り出される。この可視光は、落射投光管２内のレンズ１０、１１を通り、ハーフミラー３１で反射し、対物レンズ１７を透過して標本１９に集光される。
【００５８】
標本１９からの反射光は、対物レンズ１７を透過して平行光となりハーフミラー３１を透過し、不図示の結像レンズに入射する。この場合、観察鏡筒３内の観察光路は、接眼レンズ４側に切換えられており、不図示の結像レンズを透過した標本１９からの反射光は、標本像として接眼レンズ４に入射し、目視観察を行なうことができる。
【００５９】
次に、近赤外光観察の場合を説明する。
【００６０】
この場合、操作アーム３２を上述と逆方向に回転操作し、図８に示すようにフィルタ枠３７を落射投光管２内部に押し込み、近赤外域バンドパスフィルタ３７ａを光軸８上に位置させる。このとき、フィルタ枠３６は、落射投光管２の外に押し出されるので、赤外カットフィルタ３６ａは、光軸８上から退避している。
【００６１】
この状態から、光源７から照射光が発生すると、照明光は、コレクタレンズ９で集光され、落射投光管２内のレンズ１０、１１を通り、フィルタ枠３７の近赤外域バンドパスフィルタ３７ａに入射し、特定の波長の近赤外光が取り出される。そして、ハーフミラー３１で反射し、対物レンズ１７を透過して標本１９に集光される。
【００６２】
標本１９からの反射光は、対物レンズ１７を透過して平行光となりハーフミラー３１を透過し、不図示の結像レンズに入射する。この場合、観察鏡筒３内の観察光路は、ＴＶカメラ５側に切換えられており、不図示の結像レンズを透過した標本１９からの反射光は、標本像としてＴＶカメラ５の撮像面に結像され、図示しないモニタ等にて近赤外光観察を行うことができる。
【００６３】
従って、このようにしても第１の実施の形態と同様な効果を得ることができる。さらに、フィルタ枠３６，３７を落射投光管２の外に引き出すことで、赤外カットフィルタ３６ａおよび近赤外域バンドパスフィルタ３７ａの状態を確認できるので、これら赤外カットフィルタ３６ａおよび近赤外域バンドパスフィルタ３７ａの破損時の交換を容易にできるなど、保守点検を簡単にできる。
【００６４】
なお、上述した実施の形態では、フィルタ枠３６，３７を落射投光管２の右側から挿入しているが、フィルタ挿入口３６１、３６２を左右に設ける構成とすることにより、左側から挿入することもできる。また、第２の実施の形態では、回転自在の操作アーム３２の両端に赤外カットフィルタ３６ａおよび近赤外域バンドパスフィルタ３７ａを設け、操作アーム３２の回転により選択的に、赤外カットフィルタ３６ａまたは近赤外域バンドパスフィルタ３７ａを光軸８上に位置させるようにしたが、例えば、光軸と直交する方向にスライド可能としたスライド部材に赤外カットフィルタと近赤外域バンドパスフィルタを設け、このスライド部材のスライド動作により選択的に赤外カットフィルタまたは近赤外域バンドパスフィルタを光軸上に位置させるようにした構成を採用することもできる。  本発明は、上記実施の形態に限定されるものでなく、実施段階では、その要旨を変更しない範囲で種々変形することが可能である。例えば、上述では、落射投光管について述べたが、透過照明を用いた場合にも同様な構成を適用することができる。
【００６５】
さらに、上記実施の形態には、種々の段階の発明が含まれており、開示されている複数の構成要件における適宜な組み合わせにより種々の発明が抽出できる。例えば、実施の形態に示されている全構成要件から幾つかの構成要件が削除されても、発明が解決しようとする課題の欄で述べた課題を解決でき、発明の効果の欄で述べられている効果が得られる場合には、この構成要件が削除された構成が発明として抽出できる。
【図面の簡単な説明】
【００６６】
【図１】本発明の第１の実施の形態にかかる顕微鏡の概略構成を示す図。
【図２】第１の実施の形態に用いられるキューブユニットの概略構成を示す図。
【図３】第１の実施の形態に用いられる落射投光管の内部の概略構成を示す図。
【図４】第１の実施の形態に用いられる落射投光管の概略構成を示す図。
【図５】第１の実施の形態の変形例に用いられるキューブユニットの概略構成を示す図。
【図６】本発明の第２の実施の形態にかかる顕微鏡の概略構成を示す図。
【図７】第２の実施の形態に用いられる落射投光管の内部の概略構成を示す図。
【図８】第２の実施の形態に用いられる落射投光管の内部の概略構成を示す図。
【図９】第２の実施の形態に用いられる落射投光管の要部の概略構成を示す図。
【符号の説明】
【００６７】
１…顕微鏡本体、１ａ…ベース部、１ｂ…胴部
２…落射投光管、２ａ…カバー、３…観察鏡筒
４…接眼レンズ、５…ＴＶカメラ、６…ランプハウス
７…光源、８…光軸、９…コレクタレンズ
１０．１１…レンズ、１２…キューブターレット
１２ａ…プーリ、１３…回転機構、１４．１５…キューブユニット
１４１…近赤外域バンドパスフィルタ、１４２…ハーフミラー
１５２…ハーフミラー、１７…対物レンズ
１８…レボルバ、１９…標本、２０…ステージ
２１…焦準ハンドル、１６…光軸
２２…結像レンズ、２３…フィルタ切換え部
２３１…回転基板、２４…赤外カットフィルタ
２５…回転機構、２６…プーリ、２７…ベルト
２８…キューブユニット、２８１…ポラライザ
３１…ハーフミラー、３２…操作アーム、３３…回転軸
３４…ベアリング、３４ａ．３４ｂ…ピン
３５ａ．３５ｂ…ガイド溝、３６．３７…フィルタ枠
３６ａ…赤外カットフィルタ、３６ｂ…切り欠き部
３７…フィルタ枠、３７ａ…近赤外域バンドパスフィルタ
３８…スライダ枠、３８ａ…ガイド部、３８ｂ…クリック部
【図１】
2005300833.tif 000003
【図２】
2005300833.tif 000004
【図３】
2005300833.tif 000005
【図４】
2005300833.tif 000006
【図５】
2005300833.tif 000007
【図６】
2005300833.tif 000008
【図７】
2005300833.tif 000009
【図８】
2005300833.tif 000010
【図９】
2005300833.tif 000011